(57)【要約】高度な音響応答を備えたドラム装置が提供されます。ドラム装置は、共鳴室を規定する側壁を有するドラム本体を含む。側壁は、その周囲に配置された複数の結合構造を含むことができる。例えば、共鳴室と音響的に連絡して、ドラム本体の開放端を横切ってドラムヘッドに係合するように適合されている。ドラム本体の側壁および結合構造は、ドラム本体の一体構造を規定する実質的に連続した材料で形成することができる。
2021509976.tif 000002
【特許請求の範囲】
【請求項１】
以下を有しているドラム装置：
共振室を定めている側壁を有するドラム本体、
そして、ドラム本体側壁の円周について配置される複数の結合構造、
ドラム本体の開放端全体のドラムヘッドを係合するように調整されている結合構造、
共振室を有する音響コミュニケーションにおいて、
そこにおいて、
ドラム本体の統合された構造を定めている実質的に連続材料の中で、ドラム本体側壁および結合構造は、形成される。
【請求項２】
請求項１のドラム装置、
更なる上記は、結合構造の各々を形成している実質的に連続材料により定義される複数の緊張突起本体を備える。
ドラム本体側壁の周辺部に沿ってドラムヘッドをドラム本体に連結するように調整されている緊張突起本体、
ドラム本体の開放端全体の張力をかけられた係合において。
【請求項３】
請求項２のドラム装置、
更なる上記は、外側のドラムの表面本体側壁に沿って緊張突起本体の一つ以上から伸びている実質的に連続材料により定義されるフランジを備える。
それとともに音響および機械式継手において、
そこにおいて、
フランジは、それぞれの緊張突起本体から外側のドラムの表面本体側壁まで伸びている実質的に円滑および連続湾曲を定める。
【請求項４】
請求項２のドラム装置、
更なる上記は、緊張突起本体内に配置される複数の機械式インサートを備える。
端組立てをドラム本体の開放端に連結するために設定される複数のテンション機構との係合に適応する機械式インサート、
ドラムヘッドに隣接して、
そこにおいて、
ドラムヘッドは、ドラム本体の開放端全体の張力をかけられた係合に配置されている、
端組立てとドラム本体側壁の周辺部の間に。
【請求項５】
請求項４のドラム装置、
更なる上記は、緊張突起本体の各々に沿って伸びている長手方向チャンネルを備える。
機械式インサートが複数のテンション機構の１つと係合するために構成される緊張突起本体および第２端部の中で係合のための複数の機械式インサートの１つを受けるのに適している第１端部を有する長手方向チャンネル、
そして、
長手方向チャンネルの第１および第２の端の間に緊張突起本体内に配置される停止から更に成ること、
そこにおいて、
チャネルが停止との係合によって、緊張突起本体の範囲内で機械式インサートのために確保するのに適している縦材の第１端部、
そこにおいて、
ストッパに係合して機械式インサートの外側のジオメトリとの適合によって、機械式インサートを回転から得るために構成されて、チャネルが更にある縦材の第１端部。
【請求項６】
請求項１のドラム装置、
更なる上記は、以下の一つ以上を備える。
その周辺部に沿ってドラム本体側壁から伸びている実質的に連続材料から成る周辺部補強、
ドラム本体の開放端を定めている周辺部、
ドラム本体側壁の周辺部から実質的に連続物質的な半径方向外方に延びての環状バンド、
ドラム本体の開放端に隣接して、
そして、ドラム本体側壁の周辺部に沿って定められるベアリングの端、
その間に端アセンブリを張力をかけられた係合のドラムヘッドを有するドラム本体の開放端に固定するのに適しているベアリングの端。
【請求項７】
請求項６のドラム装置、
更なる上記は、縦軸に沿ってドラム本体側壁の実質的に連続材料を通って延びている音響ポートを備える。
そこにおいて、
以下の一つ以上：
実質的に連続材料は、音響ポートの拡張を定めるために、縦軸に沿ってドラム本体側壁から突出する、
そして、軸が角度をドラム本体側壁に関する約３０および約６０度定める縦材。
【請求項８】
請求項１のドラム装置、
そこにおいて、
側壁が最初に定めるドラム本体およびドラム本体の両側の第２の開放端、
張力ロッドの係合それぞれのセットが第１および第２のドラムヘッドおよび端アセンブリをドラム本体の第１および第２の開放端に固定するために構成される結合構造、
それぞれ、
その間で張力をかけられた係合のドラムヘッドによって。
【請求項９】
請求項８のドラム装置、
更なる上記は、以下を備える。
台が配置したかまたはドラム本体側壁の第２の開放端の周辺部の中で定めた一つ以上の罠、
または、一つのまたは一つ以上の罠台に隣接してドラム本体側壁に罠組立てのための取付けのために構成されて、マウントより、
そこにおいて、
罠アセンブリおよび一つ以上の罠台は、選択的に第２のドラムヘッド全体の一つ以上の罠を係合するように構成される、
第２のドラムヘッドとの張力をかけられた係合において。
【請求項１０】
請求項１のドラム装置、
そこにおいて、
実質的に連続材料は、実質的に連続ポリマーの一つ以上を備える。
実質的に連続マトリクス材料、
金属または金属合金、
そして、
繊維材料を補強すること。
【請求項１１】
以下を含んでいる方法：
実質的に連続資料のドラム本文を形成すること、
共振室を定めているドラム・シェルを有するドラム本体、
実質的に連続資料の複数の緊張突起本文を形成すること、
それとともに音響および機械式継手のドラム・シェルの円周について配置される緊張突起本体、
その周辺部に沿って定められるドラム・シェルの開放端全体のドラムヘッドを係合するように緊張突起本体を調整すること、
共振室を有する音響コミュニケーションにおいて。
【請求項１２】
請求項１１の方法、
更なる上記は、形をなすことと、ドラム本体と、ボリューム印刷による緊張突起本体または実質的に連続材料の付加製造とを備える。
そこにおいて、
実質的に連続材料は、ポリマーマトリックスを備える。
繊維補強材料、
複合ポリマー材、
黒鉛、
金属または金属合金、
またはそれらの組み合わせ。
【請求項１３】
請求項１１の方法、
更なる上記は、以下の一つ以上を備える。
複数の機械式インサートを緊張突起本体に配置すること、
ドラム・シェルの開放端全体のドラムヘッドを連結するために複数の張力ロッドと係合するのに適している機械式インサート、
緊張突起本体に沿って定められて、機械式インサートをそのときに設置している長手方向チャンネルに複数の機械式インサートを嵌入すること、
そこにおいて、
機械式インサートは、それぞれの緊張突起本体の範囲内で、交代で一定の係合に配置されている、
螺合の複数の張力ロッドを緊張突起本体に連結すること、
輪をドラム・シェルの開放端全体に配置されたドラムヘッドとの圧縮係合のドラム本体に連結するのに適している張力ロッド。
【請求項１４】
請求項１１の方法、
更なる上記は、以下を備える。
反響室の音響反応を決定すること、
そして、ドラム・シェルおよび多くの緊張突起本体の厚みの一方または両方が選択的に音響反応を調整するかまたは調整するように調整すること。
【請求項１５】
請求項１１の方法、
更なる上記は、以下の一つ以上を備える。
その開放端を定めている周辺部に沿ってドラム・シェルから伸びている実質的に連続材料の周辺部補強を形成すること、
ドラム・シェルおよび周辺部補強の周辺部の一方または両方に沿って伸びている実質的に連続材料のベアリング端を形成すること、
その間で配置されるドラムヘッドを有するドラム本体の開放端に圧縮係合の端組立てを連結するのに適しているベアリングの端、
ベアリングの端内に配置される一つ以上の罠台を定めること、
ドラムヘッド全体の複数の罠を連結するために構成される罠台、
それとともに張力をかけられた係合において。
【請求項１６】
請求項１１の方法、
更なる上記は、ドラム・シェルによる縦軸に沿って伸びている音響ポートを定めることを備える。
そして、
縦軸に沿って音響ポートを延長すること、
そこにおいて、
実質的に連続材料は、音響ポートの縦軸に沿って、ドラム・シェルから突出する、
またはドラム・シェルに関して約２０と約７０度の間に縦軸の角度を定めること。
【請求項１７】
以下を有しているドラム装置：
ドラム・シェル全体の音響継手を定めている音響ポート、
ドラム・シェルの、そして、それによって、伸びている縦軸を有するドラム本体側壁に係合して音響ポート、
そして、音響ポートの内面を定めている拡張、
中で、または、ドラム本体側壁から外へ内面半径方向外方に延びて、
または両方とも、
縦軸に沿って、
そこにおいて、
ポートが拡張に沿ってドラム本体側壁から突き出させる音響。
【請求項１８】
請求項１７のドラム装置、
そこにおいて、
音響ポートの縦軸は、ドラム本体側壁に関して角度を定める、
そこにおいて、
角度は、９０度未満である、
そこにおいて、
角度は、２０〜７０度である、
そこにおいて、
角度は、３０度と６０度の間にある、
または、そこにおいて、角度は、約４５度である。
【請求項１９】
請求項１７のドラム装置、
更なる上記は、以下を備える。
ドラム本体側壁に係合する音響ポートのカップリング部を定めている金属または複合プレートまたはバッジ、
またはドラム本体側壁を有する音響ポートの機械的係合に適応するねじ本体、
螺子挿入部材を通って延びている音響ポートの縦軸によって。
【請求項２０】
請求項１７のドラム装置、
更なる上記は、ドラム本体側壁の外周について配置される複数の突起本体を備える。
そこにおいて、
突起本体およびドラム本体側壁は、実質的に連続材料の中で形成される。
【発明の詳細な説明】
【技術分野】
【０００１】
関連出願についてのクロス・リファレンス
この出願は米国の２０１８年５月３０日に出願の非仮出願番号第１５／９９３,２５０号に優先権を主張する。そして、それは２０１７年１１月１７日に出願の米国仮出願番号第６２／５８７,７７１号に優先権を主張する。そして、ＩＮＴＥＧＲＡＬ  ＤＲＵＭ  ＢＯＤＹ  ＳＹＳＴＥＭ  ＦＯＲ  ＰＥＲＣＵＳＳＩＯＮ  ＩＮＳＴＲＵＭＥＮＴと名付けられる。そして、それは、全部で、そして、すべてのために、本願明細書において、引用したものとする。
【０００２】
分野
この用途は打楽器に関する。そして、音楽のスタイルの範囲に適応するドラム・システムを含む。
さらに一般的にいえば、アプリケーションは、高度な音響反応（高需要のパフォーマンス設定の使用に適している）を有するドラム・ボディシステムに関する。
【背景技術】
【０００３】
ドラムは、音楽の表現で最も古いおよび最も変化する計測器の一つである。
最も早い―周知の打楽器は少なくとも紀元前６世紀にさかのぼる。そして、我々のための豊かに装飾された培養人工産物を非常に儀礼的な培養実行（より幅広い芸術的な表現に対する豊かに巧みに作られた、技術的に高度なおよび音響的に豊かな手段と同様に）に含む。
複雑な、個別的ドラミング・パフォーマンスは他の霊長類の中でも周知である。そして、他の動物の種の範囲は警告および他の情報を伝達するためにドラミングを利用する。
【０００４】
構造的に、一般に中空フレーム、シェルまたは本体構成要素（それは共振室または音響空腔を定める）から、ドラムは一つ以上のドラムヘッドまたは皮膚と連通して典型的に造られる。そして、それは音響膜または共振器を定める。
高い、短い、ぎりぎりのおよびより広いアスペクト比の範囲で、ドラム本体は、構成において、丸いか形で一般に扁円のものに半球状のものから、そして、複雑な、複数のテーパー付き構造ならびに截頭円錐および円筒状ジオメトリを含む広く異なることができる。
【０００５】
概して、ドラムヘッドは、一方または両方の端に定められる開口部全体の本体に連結して、引っ張られるかまたは共振キャビティの周波数応答にマッチするか、または所望の音のバリエーションを伴うマッチしない周波数応答を提供するために音響膜の自然のモードを調整するために張力をかけられた。
それから、音響膜、手を用いた、または、ドラムスチックを有するどちらか、木槌、ブラシ、キック・ペダルまたは他の機械装置を励磁するためにヘッドにぶつかることによって、ドラムを、演奏できる。
【０００６】
ドラムは一方または両方の端で開いているままにされることもできる、または、ドラムヘッドは両側上に取り付けられることができて、それぞれに打たれることができて、または共鳴または反響によって、興奮させた。
側に沿って主本体部にぶつかることによって、または、ドラムヘッド周辺で伸びている端構造を打つことによって、ドラムは、演奏されることもできる。
罠、バッフル、ｚｉｌｓ、ポートおよびマフラーのような付加的な音響要素は、設けられていることもできて、音響反応を調整するか、弱めるかまたは、修正するために構成されることもできる。
【０００７】
モデム・バンド音楽家および古典的交響曲作者は典型的に広範囲にわたる罠（ベース）の訓練をされる。そして、木琴、ベル、チャイム、ゴング、シンバルおよび他の「思考電話」（非ドラム）打楽器に加えて、ティンパニ・ドラムは設計する。
ロック・ドラマーは通常一組の罠、ｔｏｍ、テノールに行う、そして、バスドラム（またはキック・ドラム）手段は、衝突の組合せによって、進む、そして、シルクハット・シンバルは固まる。
ますます、ボンゴ、コンガ、フレーム・ドラム、ものを言うドラム、スティール・ドラム、パン、水ドラム、小太鼓、ｔａｎｇｇｕ、ｔａｉｋｏまたはｗａｄａｉｋｏおよびａｓｈｉｋｏ計測器を含んで、従来のものの種類、モデム、古典的、ポップ、劣る、バロック、重い金属、ヒップホップ、シンセポップ、ｅｍｏおよび代わりの音楽のスタイルのそれらのステージ上のおよびスタジオ・パフォーマンスに、クロス・ジャンル・パフォーマも、他の従来および非伝統的計測器を組み込む。
【０００８】
これらの打楽器が伝統的方法および材料の使用を当然必要とすることができる一方、また、ドラム・システムデザインへの新規なおよび改良されたアプローチの恒常的な必要がある。
特に、異なるドラム本体構成およびパフォーマンス・スタイルのより広い範囲に適応できる改良された音響反応を有するより高度な計測器デザインの必要およびより大きな設計自由度、パフォーマンス、構造的完全性、耐久性および耐用年数を提供するより高度な機械の特徴が、ある。
【発明の概要】
【課題を解決するための手段】
【０００９】
改良型のドラム装置は、以下を含む：
共振室をそのときに定めている側壁またはドラム・シェルを備えている統合されたドラム本体。
本願明細書において、記載されているように、複数の緊張は本体をひきずる、または、共振室を有する音響コミュニケーションで、類似の結合構造はドラム本体側壁の円周について配置されていることができるおよび、ドラム本体の開放端全体のドラムヘッドを係合することに適していることができる。
所望の音響反応およびパフォーマンス機能を有する実質的に連続材料の中で、ドラム本体側壁および結合構造は、ドラム本体の統合された構造を定めて、形成される。
【００１０】
この種のドラム・システムまたは打楽器の製造の好適な方法は、実質的に連続資料のドラム本文（例えば、共振室を定めているドラム・シェルを有するドラム本体を有する）を形成して、実質的に連続資料の複数の緊張突起本文を形成する一つ以上のステップを含む。
ドラム本体を有する音響および機械式継手で、緊張突起本体は、ドラム・シェルの円周について配置されることができる。
【図面の簡単な説明】
【００１１】
【図１】図１は、強化された音響反応に適応する統合したドラム本体を備える代表的なドラム・システムの透視図である。
【００１２】
【図２】図２はドラム・システムの側面図である。そして、ドラムヘッド取付けを示す。
【００１３】
【図３Ａ】図３Ａは、ドラム・システムおよびドラムヘッド取付け機能の詳細図である。
【００１４】
【図３Ｂ】図３Ｂは、ドラム・システムのための統合されたドラム本体の等角図である。
【００１５】
【図４Ａ】図４Ａは代表的な突起構造の正面図である。そして、統合したドラム本体を有する一体的構造のために構成される。
【００１６】
【図４Ｂ】図４Ｂは、図４  Ａの突起構造の上面図である。
【００１７】
【図４Ｃ】図４Ｃは、突起構造およびドラム本体側壁の断面図である。
【００１８】
【図５】図５は、突起構造との係合のための代表的な機械式インサートの透視図である。
【００１９】
【図６】図６は、ドラム本体側壁の代表的な孔またはポート構造の断面図である。
【００２０】
【図７】図７はドラム・システムの底面図である。そして、ドラム本体側壁の補強された周辺部を示す。
【００２１】
【図８Ａ】図８Ａはドラム本体の正面立面図である。そして、第１の罠台を示す。
【００２２】
【図８Ｂ】図８Ｂはドラム本体の背立面図である。そして、第２の罠台を示す。
【００２３】
【図８Ｃ】図８Ｃはドラム本体の断面図である。そして、代表的な罠台を例示する。
【００２４】
【図８Ｄ】図８Ｄはベアリングの端の詳細図である。そして、罠台の構造を示す。
【発明を実施するための形態】
【００２５】
詳細な説明
強化された音響反応に適応する統合したドラム本体１１０で、図１は、代表的なドラム・システム１００の斜視図である。
図１に示すように、ドラム本体１１０は実質的に円筒状幾何学を有する、複数の緊張については、突起または類似の結合構造１１２および１１４は外周について配置した、そして、一つ以上はドラム本体１１０の側壁またはシェル１１８を通って延びている開口またはポート１５０を出す。
【００２６】
ドラム本体１１０（例えば、一番上の端（または上部端組立て）１２２を経て取り付けられる一番上のドラムヘッド１２０）の開口部全体に、少なくとも一つのドラムヘッド１２０は、取り付けられることが可能である。
構成に応じて、１２１が先頭にたつ第２のドラムは、ドラム本体１１０の逆の（一番下）側（例えば、底部リム・アセンブリ１２４を用いて）全体に取り付けられることもできる。
あるいは、ドラム本体１１０のジオメトリは、円筒状ものから截頭円錐形のものまで変化できるか、または、通常、半球状でありえるか、扁円でありえる。
ドラム本体１１０は複数のテーパー設計を利用することもできる。そして、高さの比率または側壁またはシェル１１８に沿ったドラム本体１１０の長さ（Ｌ）に記載の、ドラム本体１１０は高い、短い、ぎりぎりのおよびより広いアスペクト比の範囲を有することができる。そして、上部または一番下全体の幅または直径（Ｄ）が開く。
【００２７】
ドラム本体１１０およびヘッド１２０をパフォーマンスのための所望の高さおよび方向に置くために、ドラム・システム１００は、調節可能なスタンド１３０を概して備えていることができる。
スネアドラム実施例において、緊張組立てまたは罠濾過器１３２は、ドラム本体１１０の側壁１１８に載置されることができて、底のドラムヘッド１２１全体の一つ以上の罠（または類似の音響アクセサリ）を係合して、罠濾過器１３２が所望の明るさおよび期間を生じるように調整するように構成されることができる。
レバーまたは解放機構１３４は、選択的に罠を係合して、分離するために、設けられていることもできる。
【００２８】
ドラムヘッド１２０および１２１は端１２２および１２４を上部に取り付けるために張力ロッドまたは類似のテンション機構（引っ張り装置）１２６を使用して一番上および下部輪または端アセンブリ１２２および１２４を介してドラム本体１１０に機械的に連結する。そして、一番下は１１２および１１４をひきずる。
突起１１２および１４４はドラム本体側壁またはシェル１１８の周辺部のまわりに配布される。そして、引っ張り装置１２６は個々に、各対応する端１２２および１２４の周辺部周辺でドラムヘッド１２１および１２２を調整することでありえる。その結果、振動の自然のモードはドラム本体１１０により定義される共振キャビティの周波数応答にマッチする。
創造的な目的のために、反響から、または、所望の音の反応のために構成されるようにマッチされたおよびマッチしない周波数応答のいかなる好適な結合においても、一部のパフォーマは、ドラムヘッドを調整することもできる。
【００２９】
ドラムヘッド１２０および１２１はドラム本体１１０の逆の（上部および一番下）端で開口部に連結する。そして、側壁またはシェル１１８内部で共振キャビティと連通して一対の音響膜を定める。
図１に示すように、例えば、それぞれ、上部および底部開口全体のドラムヘッド１２０および１２１を引っ張っているドラム本体側壁１１８の上下の周辺部上へ上部および底部リム・アセンブリ１２２および１２４を締めるのに、テンション機構１２６は、適している。
ドラム・シェル１１８の範囲内で定められる空腔によって、上部および底のドラムヘッド１２０、１２１が音響的に連結される音響システムを、これは、形成する。
それから、上部ドラムヘッド１２０は、一つ以上のドラムスチックまたは木槌に打たれる（または、使用するブラシ（ハンマーまたは類似の装置）、共振室を刺激して、好意的に振動に底のドラムヘッド１２１をドライブすること。
罠アセンブリ１３０により配置されるときに、底のドラムヘッド１２１は罠を係合する。そして、特性、多層音を出す。
【００３０】
あるいは、ドラム本体側壁１１８により定義される共振室全体のドラムヘッド１２０および１２１の組み合わせによって、音響反応を支配して、罠アセンブリ１３０は、不在でもよい。
上部および底のドラムヘッド１２０、１２１（そして、対応する端アセンブリ１２２、１２４）の一方または両方の有無にかかわらず、ドラム本体１１０は、開いた設計を有することもできる。
これらの実施例において、上の突起１１２だけは存在してもよい、そして、下部の突起１１４は必要とされない。
上記の通りで、広範囲にわたる異なる性能特性を成し遂げるために、ドラム本体１１０および側壁１１８のアスペクト比および幾何学的構造は、変化することもできる。
【００３１】
原則として、ドラムヘッド１２０、１２１は多くの異なる幾何学的な形を引き受けることができる、しかし、実際には、ベッセル機能に従って共振モードを決定して、ほとんどすべてのパフォーマンス・ドラムヘッドは実質的に丸い。
ドラムヘッド１２０、１２１のための適切な材料は合成プラスチックおよびポリマー（例えばＫＥＶＬＡＲ（登録商標）および他のアラミド繊維）を含む。但し、動物性皮がまだ従来の計測器製造において、用いられる。
同様に、端１２２および１２４は、鋼および他の金属合金から、または、積層材および他のより従来の材料から製造されることができる。
【００３２】
シェル１１８の範囲内で定められる突起１１２、１１４と共振室間の機械的結合のため、突起設計は、ドラム本体１１０の音響反応に、そして、ドラム・システム１００の全体の音質に相当な影響を及ぼす。
積層材材、高性能ポリマー、高度なプラスチックおよびコンポジットまたは金属材料で（別々の突起構造が機械的プロセスにより連結される）、従来のドラム本体は、例えば、できていることができる。
単純なプラスチック構造が用いられることもできる、ならびに、スティール・ドラムは設計する。
しかしながら、
通常、ドラム本体と突起間の音響継手の課題への従来のアプローチは、突起構造の寸法および量を減少させて、シェル（または、少なくとも機械的に可能であるのと同程度非常に、全く従来の設計の突起を切り離すために）に機械的結合を下げることであった。
【００３３】
例えば、「浮動的な」シェル・デザインも、公知である
そこにおいて、
突起は１つのシェルまたは２―シェル・システムの側壁構成要素に取り付けられる。そして、ｓｉｎｇｌｅ¨ｖｉｒｇｉｎをはさむ」突起搭載の（外側の）シェルと端の一方または両方間のシェル。
特定のタイプの金属材料は所望の音楽的な共鳴音を提供することもできる、または、一部のパフォーマに魅力的でもよい方法で、より大きな、より重い突起構造は文書の調子を変えるために用いることができる。
適切な金属材料は、鋼、ニッケル、銅、スズ、黄銅、アルミニウム、チタンおよびそれらの合金を含むが、これに限定されるものではない。
これらの実施例の各々において、反応は、突起本体とドラム・シェルの間に機械式および音響継手に基づいて従属する。
これらの構造を切り離すことを試みるよりはむしろ、若干の従来の設計であるにつれて、ここの方法はそれらを結合することである。そして、統合したフォーマットのドラム・シェルおよび突起本体を提供することによって、ドラム・システムの音響反応を調整する。
【００３４】
統合したドラム本体１１０の一体的設計のこの結果、そこにおいて、
突起１１２、１１４は、実質的に連続であるか一体的材料を使用して、側壁またはシェル１１８と共に形成される。
この手法では、突起構造１１２および１１４は、ドラム本体１１０の側壁またはシェル１１８が一体的に形成されている。そして、積分を提供する、または、固有で、ｃｌｏｓｅｌｙ―は、貢献をドラム・システム１１０の音響反応に連結した。
突起構造１１２、１１４とドラム本体側壁またはシェル１１８の間に音響および機械的結合を最小化するよりはむしろ、突起構造１１２および１１４の寸法および質量分布は音響反応を調整するように選択されることができる。そして、所望の音質の実質的により良好な制御については、突起構造１１２、１１４とドラム本体側壁またはシェル１１８間の音響および機械的結合は改良された音響パフォーマンスを提供するのに適していることができる。
【００３５】
アプリケーションによって、これらの目的は、ドラム本体側壁１１８の弾力および密度分布を定めて、ドラム本体１１０により定義される共振キャビティの周波数応答を調整するために、構造１１２、１１４をひきずるために実質的に連続であるか統合された材料を用いて達成されることができて、特定の構成に対する一つ以上のドラムヘッド１２０、１２１の所望の音響反応を得ることができる。
これらの実施例において、ドラム本体の統合された材料は、実質的に連続的でもよいおよび同一でもよい（同じ大きさのおよび同種の）。
【００３６】
あるいは、高度な製造法は、材料合成およびドラム本体１１０の密度を変化させるために用いることができる、所望の質量分布を生産する、１１２、側壁またはシェル１１８と比較して、１１４を（およびシェル１１８の周辺部領域の所望の構造特徴を提供するために）約ひきずる
そこにおいて、
ドラム本体１１０は、一つ以上の端アセンブリ１２２および１２４に連結する。
このように、ドラム本体１１０の統合した設計は構造および機械の利点の組合せを提供するように構成されることができる。そして、本願明細書において、記載されているように、ドラム・システム１００のパフォーマンスを実質的に高める。
密度、音響反応および緊張の対応する変化に関するように、材料合成における変更、弾力および他の特性はこの設計テクニックによっても利用できる。
【００３７】
図２は、それぞれ、上部および底部リム・アセンブリ１２２および１２４に沿って側壁１１８の上下の周辺部にドラムヘッド取付けを示して、ドラム・システム１００の側面図である。
図１からのドラム本体の向こう側がドラム本体１１０およびアンカーの右側上の側壁１１８に左上のブロックまたは端プレート１３６を罠濾過器１３２を有する一般に逆の方向に載置したことを、図２は、示す。
【００３８】
図２に示すように、上部端組立て１２２から、第１のドラムヘッド１２０をドラム本体１１０の頂端部に固定するために、ドラム・シェル１１８の上の周辺部により定義される開口部全体のドラム本体側壁１１８の上の周辺部のまわりに配布される一組の突起１１２まで、第１の複数の張力ロッドまたは類似の機構（引っ張り装置）１２６は、下って伸びる。
底部リム・アセンブリ１２４から、第２のドラムヘッド１２１をドラム本体１１０の底端部に固定するために、ドラム・シェル１１８の低い周囲により定義される開口部全体のドラム本体側壁１１８の低い周囲のまわりに配布される他のセットの突起１１４まで、第２の複数の引っ張り装置ロッド１２６は、上へ伸びる。
【００３９】
従来設計とは対照的に、側壁１１８および突起構造１１２、１１４の一番上および底のセットが実質的に連続材料の中で形成される、一体的であるか統合された構造を、ドラム本体１１０は、有する。
この構成において、ドラム本体側壁またはシェル１１８に関して突起構造１１２、１１４のための所望の大量のおよび密度分布を選択することによって、ドラム・システム１００の音響反応を改善するのに、ドラム本体１１０の材料は、適していることができる。
１セットの材料（例えば、積層材、金属またはプラスチック）の側壁を形成するよりはむしろ、音響および機械的結合を強化するために、突起構造１１２、１１４は一体的にシェル１１８により形成されることもできる、
そして、機械的に取付別々の突起成分。
【００４０】
永続的なポリマーおよびプラスチックに、制限されなくて、アラミド繊維、グラファイト繊維、ガラスまたはシリコン繊維、ポリマーまたは樹脂基材に埋められる炭素繊維（または他の構造構成要素）または類似の結合剤を含んでいる材料またはフィラー材料を合成しない、１１０が含むドラム本体のための適切な材料。
好適なドラム本体１１０のための製造の方法には、鋳造しているおよびボリューム印刷が含まれる。
ドラム本体１１０の材料は実質的に同一でもよいか、または様々な密度および構造特性を有することもできる。そして、例えば側壁１１８のサイズおよび密度分布を制御することによって、ドラム本体１１０の音響反応を調整して、構造１１２、１１４をひきずるか、または側壁またはシェル１１８の上部およびｂｏｔｏｍ周辺部領域の所望の構造特性を提供する、
そこにおいて、
ドラム本体１０は、上部およびｂｏｔｏｍ端構造１２２および１２４に連結する。
【００４１】
具体例において、ドラム本体１１０はステレオリソグラフィ（ＳＬＡ）または選択的なレーザー焼結（ＳＬＳ）により製造されることができる、または、他の適切な３Ｄ印刷方法が、例えば、ナイロン―タイプ・ポリマーまたは他の適切な粉系（または流体ベースの）ボリュームを印刷している材料を使用する。
多ジェット融合（ＭＪＦ）または精度に制御された印字ヘッド・システムを用いて印書媒体へ堅くなっている薬品を放出する類似の方法によって、融合ジェット印刷方法が、例えば、使われることもできる。
他の適切な付加製造プロセスは、ｊｅｔｉｎｇしている結合剤、誘導されたエネルギー堆積、具体的な押出、ｊｅｔｉｎｇしている材料、粉層融合、シート積層およびバット光重合を含むが、これに限定されるものではない。
【００４２】
ドラム本体１１０を形成するために用いる特定の材料は厳密なプロユースの所望のパフォーマンス要件を満たすように選択されることができる。そして、広く様々な温度および湿度両極端を含む環境および他の動作条件を演奏することの範囲全体に、剛性、紫外線（ＵＶ）抵抗および弾力と同様に耐久性および柔軟性を含む。
これらのアプリケーションにおいて、一つにはドラム本体側壁１１８全体の、そして、同じ実質的に連続材料の突起構造１１２、１１４を形成するための所望の実質的に連続構造を提供するのに十分印刷ドラム本体１１０に使用する機械が大きいので、ドラム本体１１０の材料は同様に従来の木質材料に、少なくとも温度および湿度の変化に反応できる。
他の材料がより滑らかでもよいかより粗くてもよいか、または付加的な所望の表面仕上げ、色および関連した美的特性を有してもよいのに対して、それらはより多くのｂｒｉｔｌｅでもよいか、所望の次元の安定性を欠いてもよいかまたは、不十分に紫外線に反応してもよい、または、の両方、より望ましくない構造所有権を譲渡すること。
【００４３】
他のボリュームを印刷しているプロセス機械システムは、望ましい材料特性を提供できるが、本願明細書において、記載されているようにドラム・システム１００の標準サイズの実施例のための適切なドラム本体１１０を印刷するのに十分大きくないかもしれない。
選択される特定の金属または他の材料による材料特性およびコストについては、印刷している３Ｄおよび金属および金属合金材において、印刷できるＳＬＳプロセス（または他の適当な技法）を用いたボリューム・ベースの製造システムも、ある。
これらの実施例において、ドラム本体１１０は、適切な金属材料または金属合金の中で部分的に、または、実質的に完全に、少なくとも形成される。
型または形プロセスが用いられることもできる、中で一つの操作ごとに一つの命令を入れる、所望のチャネル（空腔）を提供して、要求される適切な音響ポート１５０およびその他と共に突起１１２（１１４）の特徴に突出する製造プロセスまたは利用している付加的な機械処理ステップはドラム本体側壁１１８を特徴とする。
【００４４】
突起本体または突起構造１１２、１１４のも数および間隔は、変化する。
１つのケースにおいて、例えば、最高８つの一番上の突起１１２がある。そして、８つの一番下はドラム本体１１０（均一にドラム本体側壁１１８の円周に沿って互いの上下に直接間隔を置かれる）の両側上の１１４をひきずる。
突起１１２および１４の数は端アセンブリ１２２および１２４の設計によって、部分的には、少なくとも決定されることもできる。そして、開いている（そして、それぞれのドラムヘッド１２０、１２１）ドラムの直径に応じて、４本、５本、６本、８本、１０本および、１２本の（またはより多くの）張力ロッド１２６を含むがこれに限らず標準構成およびユーザ選択において、それは設けられていることができる。
他のパラメータの様に、突起番号および間隔は、緊張および反響にも結果として生じる影響を及ぼす。
好まれる場合、ドラム本体は側当たり最高１０以上の突起を有することができるか、または他の業界標準を使用できる。
上部および一番下は１１２をひきずる、１１４はドラム本体側壁１１８に沿って相殺されることもできる。そして、突起間隔は同一でありえもするか、異なることもできる。
さらに一般的にいえば、個人の数、サイズ、形状、位置および間隔は１１２をひきずる。そして、統合されたドラム本体側壁またはシェル１１８に沿って定められるように、１１４は変化できる。そして、これらの設計オプションの各々は開示の範囲内で含まれる。
【００４５】
実施例
適切なドラム・システムまたは装置１００は、以下を含むことができる：
ドラム本体１１０内部の共振室および複数の結合構造を定めている側壁１１８を有するドラム本体１１０または緊張は、ドラム本体側壁１１８の円周について配置される本体１１２、１１４をひきずる。
共振室を有する音響コミュニケーションで、結合構造１１２、１１４は、ドラム本体１１０の開放端全体のドラムヘッド１２０または１２１を係合するように調整されていることができる。
【００４６】
従来設計とは対照的に、ドラム本体側壁１１８および結合構造１１２、１１４は同じ実質的に連続であるか統合された材料の中で形成される。そして、ドラム本体１１０用の統合された構造を定める。
【００４７】
図３  Ａはドラム・システム１００の詳細図である。そして、それぞれの張力ロッド１２６のねじ部１２８に結合に適しているねじ付きナット、突起または類似の機械式インサート１７０を係合するのに適しているチャネル１６０で上下の突起構造１１２、１１４を含むドラムヘッド取付け機能を例示する。
一つ以上の孔またはポート１５０は、ドラム本体１１０の側壁１１８において、定められることもできる。
【００４８】
図３  Ａに示すように、ドラム本体１１０の中央に適応する第１のまたは近位端から伸びて、各突起構造１１２、１１４に沿って、それぞれ、側壁またはシェル１１８の上または下の周辺部に適応するモミまたは末端に、垂直チャンネル１６０は、定められることが可能である。
実施例に応じて、各チャネル１６０の近位端は機械式インサート１７０を受けるのに適している六角形の横断面または他の適切な幾何学を定めることができる。そして、挿入物を設置するために、各々の中の１７０は結合のための構造１１２、１１４をテンション機構１２６の係合セクション１２８にひきずる。
例えば、ナットまたは突起挿入物１７０は各チャネル１６０の近位端に嵌入されることができて、ねじ部が末梢部のチャンネルの端部１６０を過ぎて伸びて配置されることができる、なぜならば、それぞれ、上部に沿った張力ロッド１２６の係合または一番下は突起構造１１２、１１４に表面をつける。
【００４９】
反響空腔が外部（周囲を取り巻く）空気を有するドラム・シェル１１８内部で定めた対に、孔またはポート１５０は適している。そして、平均的静圧を等しくして、ドラム本体１１０で内外のものの間に気流を提供する。
従来の垂直な孔デザインとは対照的に、更に、本願明細書において、記載されているドラム・システム１００の音響反応を調整するのに適している直径については、ポート１５０は、側壁１１８によるゆがんだ（非直角の）角度で伸びることができる。
【００５０】
図３Ｂは、ドラム・システム１００のためのドラム本体１１０の等角図である。
図３Ｂに示すように、ドラム本体１１０は実質的に円筒状幾何学を有する、複数の緊張については、突起または類似の結合構造１１２および１１４は外周について配置した、そして、一つ以上はドラム本体１１０の側壁またはシェル１１８を通って延びている開口またはポート１５０を出す。
あるいは、ドラム本体１１０のジオメトリは、円筒状ものから截頭円錐形のものまで変化できるか、または、通常、半球状でありえるか、扁円でありえる。
ドラム本体１１０は、複数のテーパー設計を利用することもできる。
共振室１８５は、ドラム本体側壁１１８により定義される。
本願明細書において、記載されているように、ドラム本体１１０および側壁１１８のアスペクト比および幾何学的構造は広範囲にわたる異なる性能特性を成し遂げるために変化することもできる。
【００５１】
上記の通りで、突起構造１１２および１１４の寸法および質量分布は、共振室１８５の音響反応を調整するように選択されることができる。
所望の音質の実質的により良好な制御については、突起構造１１２、１１４とドラム本体側壁またはシェル１１８間の音響および機械的結合は、改良された音響パフォーマンスを提供するのに適していることができる。
これらの実施例において、上の突起１１２だけは存在してもよい、そして、下部の突起１１４は必要とされない。
関連した上部および、概略の損失なしに、ドラム本体１１０の底の特徴とともに、上下の突起呼称も、交換可能である。
【００５２】
ドラム本体１１０の統合された材料は実質的に連続的でありえるおよび同一でありえる（同じ大きさのおよび同種の）、または、突起１１２、１１４のための所望のシェル厚および質量分布を生産して、シェル１１８の開放端に隣接して上下の周辺部に沿って所望の補強およびベアリング機能を提供するために、ドラム本体１１０の具体的な構成および密度は変化できる。
共振室１８５の密度、音響反応および緊張の対応する変化に関するように、材料合成における変更、弾力および他の特性はこの設計テクニックによっても利用できる。
【００５３】
本願明細書において、記載されているように、図４Ａは代表的な突起構造１１２（統合されたドラム本体１１０の側壁１１８を有する一体的製造のために構成される）の正面図である。
この特定の例では、突起構造１１２は、以下を含む：
ドラム本体側壁またはシェル１１８の外周に沿って水平に主突起本体１１５のいずれの側からも伸びていて、突起１１２とドラム本体１１０の間に音響および機械的結合を形成しているフランジ物品１１３。
フランジ構造体１１３は、ドラム本体側壁１１８に沿って、垂直に伸びることもできる（例えば、ドラム本体１１０の中間の部分の方の突起本体１１５の下部のまたは手前端部から）。
あるいは、所望の設計属性および製造能力に応じて、フランジ１１３は、不在でもよい。
さらに一般的にいえば、各突起１１２、１１４の主本体部１１５は様々な適切な形を引き受けることができる、その一方で、ドラム・システム１００により実施される打楽器の所望のパフォーマンス態様を維持する、
すなわち、ドラム本体１１０（一つ以上のドラムが１２０の先頭にたつ）の統合されたまたはユニ本体設計については、１２１は、対応する輪または端アセンブリ１２２、１２３を介して接続されることができる。
【００５４】
図４  Ａに示すように、チャネル１６０の近位部分１６２は、構成される対応するテンション機構１２６の結合部分１２８との係合のためのねじ付きナット、突起または他の機械式インサート１７０を受け入れる。
例えば、チャネル１６０の近位端１６２はナット区間を有する挿入物１７０を受けるのに適していてもよい、または、突起１１２の本体の範囲内で、チャネル１６０の近位のおよび末端区画１６２、１６４の間に定められる停止１６３との係合のために、カラー１７２は適応した。
【００５５】
循環を防止するために、第近位の１６２節および停止１６３はチャネル１６０の中で適切な断面側面図を備えていることができる。そして、突起挿入物１７０と相補的である。
例えば、チャネル１６０の近位の第１６２節は１６３を止めるために伸びている六角形の構成を有することができる。そして、示すようにナット区間の形状または挿入物１７０上のカラー１７２と相補的である。
あるいは、停止１６３に対して挿入物１７０を係合して、突起構造１１２の範囲内で循環を防止するのに適している正方形、三角形であるか、長方形であるか、星型の（ＴＯＲＸ）タイプ係合または他の適切な手配を、チャネル１６０の近位の第１６２節は、備えていることができる。
【００５６】
付加的な実施例において、適切な突起インサート１７０は、突起構造１１２にねじ切りされることができるかまたはそれの範囲内で添付されることができる。
あるいは、直接張力ロッド１２６のカップリング部１２８によって、係合するために、チャネル１６０は少なくとも末端部分１６４において、ねじ切りされることができる、または、突起を介して、挿入であるか他の機械的留め具１７０はチャネル１６０の末端１６４で固定した。
【００５７】
チャネル１６０の末端部分１６４は、このように内側にねじを切っていることができるか、挿入物１７０のねじ筒または係合部分１７２を係合するのに適していることができる。
例えば、挿入物１７０は、以下によって、突起構造１１２の範囲内で配置されることができる：
バレル部１７４をチャネル１６０の近位部分１６２に挿入すること、
そして、
チャネル１６０の末端区画１６４に配置されているバレル部１７４については、カラー１７２までチャネル１６０に沿って挿入物１７０を摺動させることは、停止１６３に対して係合する。
挿入物１６０はチャネル１６０の中で完全に完全に配置されていてもよい、または、張力ロッドまたは類似の機械式張力装置１２６（例えば、図３Ａに示すように）の雌ねじ部１２８を係合するために、バレル１７０の頂端部は突起構造１１２の上面１６６より上に伸びることができる。
【００５８】
緊張突起本体１１５は、結合構造１１２の各々を形成している実質的に連続材料により定義されて、ドラム本体側壁の周辺部に沿ってドラムヘッドをドラム本体に連結するように調整されていることができる（例えば、本願明細書において、記載されているドラム本体の開放端全体の張力をかけられた係合の）。
ドラム本体１１０を有する音響および機械式継手で、フランジ１１３は、外面に沿った緊張突起本体１１５の一つ以上またはドラム本体側壁１１８の円周１５６から実質的に連続材料を延長することにより定義されることができる。
例えば、各フランジ１１３は、それぞれの緊張突起本体１１５からドラム本体側壁１１８の外周１５６まで伸びている実質的に円滑および連続湾曲を定めることができる。
【００５９】
複数の機械式インサート１７０はそれぞれの緊張突起本体１１５の範囲内で配置されていることができるおよび、複数の張力ロッドとの係合に適していることができる、または、ドラムヘッドに隣接して、他のテンション機構は結合のために端組立てをドラム本体の開放端へ形成した。
ドラムヘッドがドラム本体の開放端全体の張力をかけられた係合に配置されるように、それから、張力ロッドを、調整できる、端組立てとドラム本体側壁１１８の周辺部との間に。
【００６０】
例えば、長手方向チャンネル１６０は緊張突起本体１１５の各々に沿って伸びることができる、例えば、機械式インサートを受けるのに適している第１の（最も近い）端１６２については、緊張の範囲内の係合のための１７０は本体１１５をひきずる。そして、１秒（末端の）は１６４を終える。そして、機械式インサート１７０が複数のテンション機構の１つと係合するために構成される。
長手方向チャンネル１６０の第１および第２の端１６２、１６４との間に、停止１６３は、緊張突起本体１１５内に配置されることができる。
【００６１】
緊張突起本体１１５の範囲内で機械式インサート１７０を受けて、固定するのに（例えば、停止１６３との係合によって、）、長手方向チャンネル１６０の第１端部１６２は、適していることができる。
長手方向チャンネル１６０の第１端部１６２は、機械式インサート１７０を回転から得る（例えば、ストッパ１６３に係合する機械式インサート１７０の外側のジオメトリとの適合によって、）のに更に適していることができる。
例えば、ナットの外側のジオメトリを有する機械式インサート１７０の外側のジオメトリを有する第１端部１６２内の通信路１６０の横断面を従わせることによって、機械式インサート１７０を回転から得るかまたはストッパ１６３に係合して第１７２節をひきずるのに、長手方向チャンネル１６０の第１端部１６２は、適していることもできる。
【００６２】
あるいは、熱設定された挿入物（例えば、金属）１７０が、用いられることが可能である、そこにおいて、
熱は挿入物１７０または突起１１２（または両方とも）に加えられる、それまで、挿入物１７０が突起本体１１５に埋められることが可能であるプラスチック位相転移温度に、統合されたドラム材料は達する。
一旦ドラム材料が冷却すると、挿入物１７０のナット部１７２は突起１１２の中で回転に対して固定して、バレル断面１７４（ねじ張力ロッド１２６を受けるのに適している）で適切な螺合を提供する。
これらの実施例において、熱設定された挿入物１７０は、近位端１６２またはチャネル１６０の末端１６４に嵌入されることができる、
そして、停止１６３に対して固まる、さもなければ、突起１１２の主本体部１１５に直接挿入物１７０を埋めるために、挿入物１７０は開放チャンネルまたは類似の受信構造１６０の側に沿って配置されることができる。
【００６３】
座席の方法に関係なく、相当な応力および圧力は突起本体１１５に掛けられることが可能である。そして、インサート１７０のそれぞれの張力ロッド１２６との係合によって、発生する。
年または耐用年数の１０年間（またはより多くの）にわたって、チューニングに耐えて、正確な楽器として使用中にドラム・システムに張力をかけることを投げるために、各挿入物１７０は十分な強さを有する突起構造１１２の範囲内でこのように固定しなければならない、その一方で、同様に、または、より従来の計測器設計よりよく少なくとも構造的完全性を維持する。
【００６４】
図４Ａが挿入物１７０での使用に適した突起構造１１２の上のセットを示す一方、下部の突起構造１１４は類似していてもよいか対称形でもよい（例えば、逆転する上に向かう／下の方向を有する近位および末梢部の特徴を有する）。
突起構造１１２および１１４の上下のセットのサイズおよび形状は、互いに関しても、変化することもできるかまたは個人間のドラム本体側壁１１８の上下の円周のまわりに配信される構造１１２および１１４をひきずることもできる。
【００６５】
あるいは、例えば、突起構造１１４の下部のセットは、不在でもよい
そこにおいて、
ドラム本体１１０は、単一の開放端だけを定める。
ドラム本体１１０（例えば２つの反対の位置に正しい位置に置かれた機械式インサート１７０を使用することまたは両端のネジ結合または他の機械的係合を有する単一の挿入物１７０）の両端にドラムヘッド１２０、１２１および端アセンブリ１２２、１２４を固定することに２セットの緊張機構１２６を係合するように、突起構造１１２の単一セットは、調整されていることもできる。
【００６６】
図４Ｂは、突起構造１１２の上面図である。
実施例に応じて、フランジ構造体１１３は連続湾曲を有する実質的に滑らかな幾何学を備えていることができる。その結果、突起構造１１２はフランジ物品１１３に沿った主突起本体１１５から外周またはドラム本体側壁またはシェル１１８の外面１５６まで滑らかにドラム本体１１０に融合する。
あるいは、フランジ１１３、突起本体１１５とドラム本体側壁１１８の間に所望の音響機械的結合特性を提供するために、適切なフランジ構造体１１３は、不連続な湾曲または段階状の幾何学を組み込むことができる。
【００６７】
図４Ｃは、突起構造１１２およびドラム本体側壁１１８の断面図である。
図４Ｃに示すように、ドラム本体側壁１１８の最高の周囲１８０は斜角をつけられることができて、ドラムヘッドに結合に適している適切な端係合または補強構造１８２を備えていることができる。そして、ドラム本体１００内部で側壁１１８により定義される共振室１８５に、端組立ては、ドラム本体１１０の頂部開口全体のドラムヘッドの係合のために、音響的に接続した。
【００６８】
本願明細書において、記載されている実質的に連続材料から形成される一体的構造で、突起構造１１２および補強１８２は、ドラム本体１１０の側壁１１８を有する統合された構成において、設けられていることができる。
図４Ｃに示すように、補強構造１８２は、外側のドラムの表面本体１１０上の突起構造１１２の反対側に一般に、内側ドラムの表面本体側壁１１８に、ドラム本体１１０の上の周辺部１８０に沿って伸びている環状バンドという形をとる。
【００６９】
例えば、放射状に内部へ、または、ドラム本体１００および共振室１８５の開放端を定めている周辺部１８０によって、周辺部１８０に沿って、または、それに隣接して、ドラム本体側壁１１８から外へドラム本体１１０の実質的に連続材料を延長することによって、適切な周辺部補強１８２を、形成できる。
いくつかの実施形態では、周辺部補強１８２は、以下を有する：
実質的に連続材料（開放端に隣接してドラム本体側壁１１８の周辺部１８０から半径方向外方に延びて）の環状バンド。
【００７０】
傾斜端結合またはベアリングはドラム本体側壁１１８および周辺部補強１８２の周辺部１８０の一方または両方に沿って定められる１８７の缶を押し進める。そして、それは側壁１１８から伸びる。
ベアリング・エッジ面１８７の表層は、いかなる好適な形においても、そして、いかなる適切な角度でも設けられていることができる。
実施例に応じて、（垂直な）側壁１１８（例えば約４５度）に関して測定されるように、ベベル角は約３０度から約６０度まで変化できる。
端結合１８７の斜角の構成は、例えば、標準（反切断、二倍の角度、「ｒｏｕｎｄｏｖｅｒ」または突出している（「ビンテージである」もの）デザイン）の、または、後退を曲げられた外側および内側ベベル面を有する範囲においても可変的である（例えば、ベアリングの端１８７の内側ベベル面上の第１の角度（例えば、３０―６０度または約４５度）およびベアリングの端１８７の外側のベベル面上の同程度の第２の角度を有する）。
これらの表面の各々は、あるいは、よりでなく、または、よりでなく（例えば、約プラスマイナス５度の許容度の範囲内で）、対応する隣接する横または垂直面に関して、適切な角度で伸びることができる（例えば、約１０度、約１５度、約３０度、約４５度、約６０度、約７５度、約８０度で）。
【００７１】
内と外との曲げられた表面の間に交差点で定められる頂点または来訪者機能は、同様に鋭くなることができるか、丸くなることができる。
また、刃１８７が備えていることができるベアリングは、例えば、内側であるか外側の表面（または両方とも）に、実質的にまっすぐであるか垂直な（少なくとも部分的に平坦なｏｒ¨ｄｅａｄ平面」）構成を有する。
これらの実施例の各々において、ドラム本体と端間の張力をかけられた係合のドラムヘッドについては、座面１８７は、端アセンブリをドラム本体１１０の開放端に固定するのにさまざまに適している。
これらの異なる可能性および組合せの中で、音の結果は形状の各選択によって、変化する。そして、補強１８２およびベアリングの端１８７の構成はそれに応じて選択されることができる。
【００７２】
あるいは、補強１８２は内面１５４またはドラム本体側壁１１８の外面１５６に沿って形成されることができる。そして、幅、厚みおよび補強１８２およびベアリングの端１８７に斜角をつけることはドラム本体１１０に所望の構造および音響継手に応じて変化できる。
付加的な実施例において、補強構造１８２、１８４は、一つ以上のドラムヘッド１２０、１２１の取付けのための複数の環状リブ、垂直バー、波形の特徴およびそれらの組み合わせ（またはドラム・シェル１１８の上または下の周辺部または両方とも補強するために適切な他の構造要素）という形を対応する端アセンブリ１２２、１２４を介してとることができる。
更なる実施例において、補強構造１８２の有無にかかわらず、ドラム本体１００は、実質的に同一のまたは直立側壁１１８を有する設計において、設けられていることができる。
通常、内面１５４または外面１５６に沿って設けられている異なった補強構造１８２なしで、側壁１１８は、従来の木のドラム本体の実質的に垂直壁構造物に、同様に設計されることもできる。
【００７３】
図５は、代表的なねじ付きナット類似の機械的留め具１７０（図４Ａ―４  Ｃで示すチャネル１６０を経た突起１１２の本体の範囲内の挿入に適している）の斜視図である。
としてによって、カラー１７２が、チャネル１６０の末端区画１６４に配置されているバレル部１７４によって、停止１６３を係合するまで、チャネル１６０およびチャネル１６０に沿って挿入物１７０を摺動させること近位部分１６２へのバレル部１７４を挿入した。
挿入物１６０はチャネル１６０の中で完全に完全に配置されていてもよい、または、張力ロッドまたは類似の機械式張力装置１２６（例えば、図３Ａに示すように）の雌ねじ部１２８を係合するために、バレル１７０の頂端部は突起構造１１２の上面１６６より上に伸びることができる。
【００７４】
図６は、統合したドラム本体１１０のドラム本体側壁１１８において、定められる代表的な孔またはポート構造１５０の断面図である。
図５（１５０がポート角度（ａ）で側壁１１８で延長するポート）に示すように（垂直な）側壁１１９の間に定める。そして、垂直なとられたポート１５０の直径（ｄ）全体に。
あるいは、補完的なポート角度（ａ´）側壁１１８と縦のポート軸Ａ（直径（ｄ）に対して垂直な）の間に定められることが可能である。
【００７５】
従来設計とは対照的に、ポート角度（または、ａ´）９０度および、４５度周辺で、または、約３０と約６０度との間に、または、約２０度と約７０度との間に、１５０が鋭いかゆがんだ（非直角の）角度のドラム本体側壁１１８で、例えば延長できるポートで必然的にでなくある、または、さらに適切な鋭いスキュー角。
ポート１５０は、一つ以上のポート拡張ｏｒ¨ｅａｒｓを含むこともできる」ドラム本体側壁１１８（または両方とも）の内側および（内部）外側の（外部）側壁表層１５４および１５６から突出している１５２。
ポート拡張１５２は伸びるかまたは一般に縦のポート軸Ａに沿った内と外とのドラムの表面本体側壁１１８から突出する。そして、軸方向範囲または気流の改良された方向制御を提供するポート１５０およびポート１５０に沿って側壁１１８によって、広がっている音波エネルギーの変調の長さを増加させる、共振室１８５とポート軸に沿ったドラム本体側壁１１８の外側１８６との間に、これらの表面のＡ．Ｅａｃｈは、あるいは、よりでなく、または、よりでなく（例えば、約プラスマイナス５度の許容度の範囲内で）、対応する隣接する横または垂直面に関して、適切な角度で伸びることができる（例えば、約１０度、約１５度、約３０度、約４５度、約６０度、約７５度、約８０度で）。
【００７６】
角度（ａ）およびポート拡張１５２の長さ（１）に応じて、孔またはポート１５０の内壁は、軸Ａ（点線）と実質的にまっすぐに、そして、一般に平行でもよいか、または傾斜（点線）の変化を含んでもよい。
ポート１５０の全体の高さ（ｈ）は、それぞれ、内外の拡張１５２の一番下および頂端部全体に、または、内壁の一番下および頂端部全体に定められることが可能である。
いずれにせよ、高さ（ｈ）は、直径（すなわち、ゼロと９０度（独占記事）間のポートのための）より典型的に大きくて、傾斜およびより短い機能拡張１５２（内側線）の変更を有する内壁のためにあるより長い拡張１５２（外側の線）を有するまっすぐな壁のポート１５０のために、いくらか大きくてもよい。
【００７７】
ドラム本体側壁１１８の実質的に連続材料によって、定められる縦軸Ａに沿って、適切な音響ポート１５０は伸びることができる。そして、ドラム本体１１０の範囲内で定められる共振室１８５とドラム外部１８６の間の圧力コミュニケーションの音響ポートを配置する。
図６に示すように、音響ポート１５０の縦軸Ａは、ドラム本体側壁１１８の（垂直な）方向に関して、約３０と約６０度の間の角度を定める。
あるいは、ポート軸は、あるいは、よりでなく、または、よりでなく（例えば、約プラスマイナス５度の許容度の範囲内で）、対応する隣接する横または垂直面に関して、他の適切な角度で伸びることができる（例えば、約１０度、約１５度、約３０度、約４５度、約６０度、約７５度、約８０度で）。
【００７８】
一つ以上のポート拡張１５２を定めるために、ドラム本体１１０の実質的に連続材料も、音響ポート１５０の縦軸Ａに沿って、ドラム本体側壁１１８から突出する。
例えば、縦軸Ａに沿ったいずれの方向でも、拡張１５２は、ドラム本体側壁１１８または両方ともから外へ内部へ、または、放射状に放射状に伸びている音響ポート１５０の内面または壁を定めることができる。
【００７９】
上下のドラム・シェル増援１８２、１８４については、図７は、ドラム・システム１００の底面図である。
例えば、上部および底部リム・アセンブリ１２２、１２４の取付けのために、増援１８２、１８４は構造的支持体をドラム本体側壁またはシェル１１８に提供するように構成される。そして、ドラムヘッド１２０を連結するために、ドラムに対する１２１は１１０を具体化する。
【００８０】
図７に示すように、底のドラムヘッド１２１（ドラム本体１１０（隣接する罠１２５）の下部開口全体に広げられる）の透明表面によって、補強構造１８２、１８４は、見える。
この特定の例では、増援１８２、１８４は内側ドラムの表面本体１１０に配置されている環状バンドという形をとる。そして、ドラム本体側壁またはシェル１１８の上下の周辺部に沿って伸びる。
一つでまたはマウントによって、より、１９０は、罠引っ張り装置のために提供されて、罠１３５を底のドラムヘッド１２１との音響接触に配置するように構成されるプレート１３６または類似の罠アセンブリを頭で突く。
さらに一般的にいえば、終わって―１９０を取り付ける、マウント１９０が突起、タブ、スロットおよび付加的な端に上がって含むことができる他の実施例および開始取付構造で、穴および特長サイズのいかなる好適な結合、間隔および、所望の取付構成に基づいて、方向によっても取付穴自体に関連できる。
【００８１】
突起１１２、１１４および構造増援１８２、１８４はドラム本体１１０の側壁１１８を有する統合された構成において、設けられていることができる。そして、実質的に連続であるか一体的材料から形成される。
構成に応じて、増援１８２、１８４は、上下の突起構造１１２、１１４の上下に一般に配置されることができて、上部および底部リム・アセンブリ１２２、１２４を介して上部および底のドラムヘッド１２０、１２１の取付けのためのドラム・シェル１１８の上下の周辺部を補強するように構成されることができる。
あるいは、補強はドラム本体側壁１１８全体の突起１１２、１４４の反対側に一般に配置されることができる。そして、補強ジオメトリは上記の通りに変化できる。
【００８２】
この例では、ドラム本体側壁１１８は、第１および第２の開放端をドラム本体１０（例えば、上部および側壁１１８の底の周辺部で）の両側に定める。
ドラム本体側壁またはシェル１１８の（対応する補強構造１８２、１８４に沿って定められる）上下の周辺部に連結するそれぞれの端１２２、１２４間の張力をかけられた係合のドラムヘッド１２０、１２１によって、それぞれ、張力ロッド１２６の係合それぞれのセットが１および２回目の端アセンブリ１２２、１２４をドラム本体１１０の第１および第２の開放端に固定するために、結合構造または突起本体１１２、１１４は、構成される。
【００８３】
結合構造は第１を含む、そして、緊張の第２のセット１１２、１１４は本体をひきずって、ドラム・シェル１１８と同じ実質的に連続材料の中で形をなして、それぞれ、すぐ近くのドラム本体側壁１１８の上下の周辺部に沿ってドラム本体の第１および第２の開放端を配置した。
第１および第２のドラムヘッド１２０、１２１および端アセンブリ１２２、１２４を固定するために、張力ロッド１２６のそれぞれのセットを係合するように、突起本体１１２、１１４の第１および第２のセットは、調整されている。
【００８４】
一つ以上のマウントによる１９０は、ドラム本体側壁１１８に、罠アセンブリ１４０のための取付けに適していることができる。
ドラム本体側壁またはシェル１１８内部の共振キャビティを経た一番上のドラムヘッド１２０を有する音響コミュニケーションで、罠アセンブリ１４０は、第２の（一番下）ドラムヘッド１２１全体の一つ以上の罠１３５を係合するように構成される。
【００８５】
例えば、マウントによる１９０は、罠濾過器１３２および端プレートを載置するために構成される貫通孔またはドラム本体側壁の一般に逆の側上のアンカー・ブロック１３６の１および２セットめ、第２のドラムヘッド全体の罠を延長するために構成される端プレート１３６およびそれとともに罠を係合するために構成される罠濾過器１３２を含むことができる。
【００８６】
図８Ａはドラム本体１１０の正面立面図である。そして、第１の（正面）罠台１３１を示す。
図８Ｂはドラム本体１１０の背立面図である。そして、第２の（後部）罠台１３１を示す。
【００８７】
図８Ａおよび８Ｂで示すように、罠台１３１は、各々一番下を産する端１８７の中で凹部を形成して、ドラム本体１１０上の各々の反対側に配置される。
罠台１３１は、２セットの突起の間に典型的に配置される、
しかしながら、他の構成は、可能である。
底のドラムヘッド１２１が罠ワイヤ接触面の平面全体の凸形状を形成するために、罠台１３１は構成される。そして、罠ワイヤと底のドラムヘッド１２１との直接的な、同一の接触に至る。
【００８８】
罠台１３１のない罠ワイヤの自然の状態は、概して、マウントによる１９０および端プレート１３６（図７を見る）と関連する罠ワイヤの位置による湾曲形状である。
ドラム本体１１０の開放端全体の張力をかけられた係合で、罠ワイヤが下部ドラムヘッド１２１全体により最適に座るために、罠台１３１は、構成される。
罠台１３１の形状もおよび位置決めも、罠ワイヤの改良された動作および反応を考慮に入れる。
最適に構成された罠台１３１なしで、罠ワイヤがプレーヤ性能に同じ感度によって、必ずしも反応するというわけではないし、機械の調整がユーザによって、なされるときに、予想されるかまたは意図されるように、罠ワイヤは常に作動しない、
例えば、罠ワイヤを係合するかまたは分離するか、または罠緊張を調整すること。
【００８９】
罠台１３１の構成は、ベアリングの端１８７の材料合成および形成工程に基づいて変化できる。
例えば、従来の木のシェル製造で、数々の方法（例えば手による、または、ジグによるルーティング、手鋸またはバンドによって、鋸またはファイリングを減らすことおよび手を紙やすりで磨くこと）によって、罠台１３１を、形成できる。
別の例として金属を産する端のために、罠層１３１は、曲げまたは打撃によって、ベアリングの端に成形されることができる。
【００９０】
罠台１３１は、幅、深さ、形状および角度において、異なることもできる。
幅のために、典型的罠台は、１インチ（２５．４  ｍｍ）から、または、ベアリングの端の幅の最高半分を差し引いたどこでも変動できる。
深さのために、典型的罠台は、１  ｍｍ以下から１／４インチ（６．３５  ｍｍ）またはより多くにどこでもわたることができる。
若干の実施例において、罠台１３１は段階的な傾斜する特徴を含むことができる。その一方で、他の実施例で、罠台１３１は実質的により鋭い角刃に沿って定められることが可能である。
【００９１】
図８Ｃはドラム本体１１０の断面図である。そして、代表的な罠台１３１の構成を示す。
図８Ｄは、ベアリングの端１８７の詳細図である、そこにおいて、
罠台１３１は、形成されるかまたは定められる。
【００９２】
図８Ｃは、ドラム本体１１０の端１８７を運んでいる一番下に沿って定められる罠台１３１を示す。
図８Ｄの左側上の測定値は、罠台１３１のないベアリングの端１８７のための典型的寸法を表す。
この図の左側も、以下を含む：
ベアリングの端１８７の中の典型的頭の隆起１９１（先頭の隆起構造１９１がどのように典型的な罠台１３１の形状に匹敵できるかという実施例を示すために）。
頭の隆起１９１のための他の形状およびサイズは、罠台１３１の形状に関しても考察される。
ドラムヘッド（例えば、上部または底のドラムヘッド１２０または１２１）はすっかり引っ張られる。そして、ヘッドに対する対は１９１に棟をつける。
図８Ｄに示される実施例において、頭の隆起１９１は、ベアリングの端深さ（Ｅ）と同じ深さである。
一つの実施例において、隆起角度（ｂ）は、４５度角度である、
しかしながら、例えば４０度と、あるいは、３０度と６０度との間にでなく、または、よりでなく、または、よりでなく、５０度との間に、他の角度は、考察される。
基線長（Ｂ）および頭の隆起１９１の半径（Ｒ）は、寸法において、変化することもできる。
【００９３】
ドラム本体１１０の周辺部に沿って定められるベアリングの端１８７および頭の隆起１９１にそれが関するにつれて、図８Ｄの右側は適切な罠台１３１の典型的測定値を表す。
上記したように、罠台１３１は、幅、深さ、形状および角度において、異なることができる。
一つの実施例において、罠台角度（ｃ）は４５度角度である。そして、隆起角度（ｂ）に合致する。
しかしながら、多数の罠台角度（ｃ）は考察される。そして、隆起角度（ｂ）と同様である。そして、段階的であるか、角であるか、他の罠台形状をつくる。
あるいは、よりでなく、または、よりでなく（例えば、約プラスマイナス５度の許容度の範囲内で）、他の適切な角度は、約１０度、約１５度、約３０度、約４５度、約６０度、約７５度、約８０度を含む。
罠台１３１の半径（Ｗ）は、測定において、変化することもできる。
一つの実施例において、罠台１３１の半径（Ｗ）は頭の隆起１９１の半径（Ｒ）と同じ測定値である。そして、他の実施例で、これらの局面は変化する。
打楽器および製造の方法
【００９４】
例えば、適切なドラム・システムまたは打楽器１００はこのように設けられていることができる。そして、統合された材料（側壁１１８を定めているドラム・シェルを有するドラム本体１１０）の中で形成されるドラム本体１１０の一つ以上から成る、
ドラム・シェル１１８の範囲内で定められる共振室１８５、
そして、複数の緊張は、統合された材料の中で形成される本体１１２、１１４または１１５をひきずる。
緊張突起本体１１２、１１４または１１５は、ドラム本体側壁１１８の円周について配置されていてもよいおよび、ドラム・シェル１１８（ドラム本体側壁１１８の周辺部１８０に沿って定められる）の開放端全体のドラムヘッド１２０または１２１を共振室１８５を有する音響コミュニケーションのドラムヘッド１２０または１２１に連結することに適していてもよい。
【００９５】
統合された材料の中で形成される一つ以上のフランジ１１３缶（ドラム・シェル１１８の外面１５６を有する音響および機械式継手のそれぞれの緊張突起本体１１５から伸びる）。
例えば、フランジ１１８は突起本体１１５とドラム・シェル１１８の外面１５６の間に実質的に円滑および連続湾曲を定めることができる、または、フランジ構造体は段をつけられることが可能であるかまたは不連続でありえる。
【００９６】
ドラム・シェル１１８の開放端全体の張力をかけられた係合のドラムヘッド１２０、１２１を連結するのに適している張力ロッド１２６で、１１２、１１４、１１５が円周またはドラム本体側壁１１８の外面１５６について配置した緊張突起本体に、複数の張力ロッド１２６は、係合できる。
端アセンブリ１２２で、端組立て１２２、１２４はドラム本体側壁１１８の周辺部１８０に沿って張力ロッド１２６に連結できる。そして、ドラム・シェル１１８の開放端全体のドラムヘッド１２０、１２１を連結するために、１２４が構成される。
【００９７】
周辺部補強１８２は、端組立て１２２、１２４に隣接して、ドラム本体側壁１１８の周辺部１８０に沿って、統合された材料（例えば、中で、または、外へ内面１５４から半径方向外方に延びてまたはドラム・シェル１１８の外面１５６）から成ることができる。
例えば、端組立て１２０、１２２とベアリングの端１８７との間に、ドラム本体側壁１１８の周辺部１８０に沿って張力をかけられた係合のドラムヘッド１２０または１２１を固定するのに適しているベアリングの端１８７によって、周辺部補強１８２に沿って、または、それに隣接して、ベベル面または他の端結合またはベアリングの端１８７は、伸びることができる。
【００９８】
それぞれの張力ロッド１２６との係合がドラムヘッド１２０を連結するように構成される機械式インサート１７０によって、緊張突起本体１１２、１１４または１１５に、１７０がそうであってもよい複数の機械式インサートは、ドラム・シェル１１８の開放端全体の１２１を配置した。
例えば、それぞれの緊張突起本体１１２、１１４、１１５に沿って伸びている長手方向チャンネル１６０内で、機械式インサート１７０を、固定できる。
【００９９】
長手方向チャンネル１６０の各々は第１端部を有することができる、または、それぞれの機械式インサート１７０を受けるために（例えば、停止１６３に対する交代で一定の係合の）、近位の第１６２節は適応した、そして、第２端部または末端区画１６４は機械式インサート１７０のそれぞれの張力ロッド１２６との係合のために適応した。
機械式インサート１７０の各々は停止１６３に対して、例えば、第１端部１６２において、交代で一定の係合のそれぞれの長手方向チャンネル１６０の断面ジオメトリとの適合に適応する第１の（例えば、ナットまたは突起）部分１７２を有することができる。そして、第２の（例えば、バレルまたは結合）部分１７４はそれぞれの張力ロッド１２６との螺合のために適応した。
【０１００】
例えば、一つ以上の音響ポート１５０は、縦軸Ａに沿ってドラム・シェル１１８を通って延びることができる
そこにおいて、
統合された材料は、音響ポート１５０の拡張１５２を定めるために、縦軸Ａに沿ってドラム・シェル１１８から突出する。
拡張１５２が内側であるものまたはドラム・シェル１１８の外面１５４、１５６から、例えば突き出すことができるポート、スキューを定めている縦軸Ａに沿って、または、鋭いドラム・シェル１１８に関して角度（例えば、約３０と約６０度の間に、約４０度と約５０度の間に、または、ドラム・シェルに関する約４５度で、約２０度と約７０度間の）。
【０１０１】
若干の打楽器において、ドラム本体１１０の両側（例えば、第１および第２の端アセンブリ１２２および１２４をドラム本体１１０の第１および第２の開放端に固定するために異なるそれぞれの２セットの張力ロッド１２６を係合するように調整されている結合構造１１２、１１４を有する）に、ドラム本体側壁１１８は、第１および第２の開放端を定める、端アセンブリ１１２、１２４と端間の張力をかけられた係合のそれぞれの第１および第２のドラムヘッド１２０および１２１については、ドラムの上下の周辺部に沿った継手またはベアリングの端１８７は、１１８の殻を取る。
また、ドラム本体側壁１１８に罠アセンブリ１４０のために上昇するように調整されて、一つ以上のｔｈｒｏｕｇｈ―マウント１９０は、そうすることができる、
そこにおいて、
ドラム・シェル１１８内部で定められる共振室１８５を経た第１のドラムヘッド１２０を有する音響コミュニケーションで、罠アセンブリ１４０は、第２のドラムヘッド１２１全体の一つ以上の罠構成要素１３５を係合するように構成される。
【０１０２】
所望の音質および性能特性に応じて、打楽器１００のボディ１１０は、実質的に連続であるか統合された材料の中で、形成されることができる（例えば連続ポリマーまたはマトリクス材料を含む）。
実質的に連続であるか統合された材料は、繊維材料（例えばポリマーマトリックスを有する複合材料またはアラミド繊維と結合される結合材料）を補強することを含むこともできる。
一つの例として、材料は、以下を含むことができる：
木のポリ乳酸（ＰＬＡ）材（例えば、粉またはフィラメントの形で）。
【０１０３】
ドラム・システムまたは打楽器の製造の好適な方法は実質的に連続資料のドラム本文（例えば、共振室を定めているドラム・シェルを有するドラム本体を有する）を形成する一つ以上のステップを含む、そして、実質的に連続資料の複数の緊張突起本文を形成して、緊張については、ドラム本体を有する音響および機械式継手で、突起本体はドラム・シェルの円周について配置した。
【０１０４】
ドラム本体側壁の周辺部に沿って定められるように、緊張突起本体は、例えば、ドラム・シェルの開放端全体のドラムヘッドを係合するように調整されていることができる、共振室を有する音響コミュニケーションで。
外側のドラムの表面本体側壁を有する音響および機械式継手で、例えば、外側のドラムの表面シェルに沿って緊張突起本体の一つ以上から伸びている実質的に連続材料の中で、フランジを、形成できる。
【０１０５】
打楽器実施例において、方法は、ドラム・シェルの円周について配置される緊張突起本体と複数の張力ロッドを係合することを含むことができる、
張力ロッドを端アセンブリに連結すること、
張力ロッドがドラム・シェルの開放端全体のドラムヘッドを連結するように調整すること。
ドラム・シェルの円周に沿って、この技術は、端組立てとドラム本体の間にドラムヘッドを張力をかけられた係合に配置するために用いることができる。
【０１０６】
例えば、周辺部補強は実質的に連続材料の中で形成されることができる。そして、開放端を定めている周辺部に沿ってドラム・シェルから伸びる。
例えば、端結合または傾斜係合面は実質的に連続材料の中で形成されることもできる。そして、ドラム・シェルおよび周辺部補強の周辺部の一方または両方に沿って伸びる。
ドラム本体の開放端（例えば、端組立てと端カップリング表面の間に配置されるドラムヘッドを有する）に圧縮係合の端組立てを連結するのに、端結合は、適していることができる。
【０１０７】
ドラム・シェルの開放端全体のドラムヘッドを連結するために複数の張力ロッドを係合するのに適している機械式インサートについては、複数の機械式インサートは、緊張突起本体に配置されていることができる。
例えば、螺合の張力ロッドをそれぞれの機械式インサートに連結するためのそれぞれの緊張突起本体の範囲内の交代で一定の係合に配置されている機械式インサートについては、機械式インサートは、受け取られることが可能であるかまたは緊張突起本体に沿って定められて、停止に対して着席する長手方向チャンネルまたはチャネルにおいて、または、それに沿って定められる肩構造に嵌入されることができる。
【０１０８】
一つ以上の音響ポートは、ドラム・シェルによって、定められることができて、例えば、縦軸に沿って伸びることができる
そこにおいて、
内側であるか外側のドラムの表面シェル上の音響ポートの一つ以上の拡張を定めるために、実質的に連続材料は、縦軸に沿ってドラム・シェルから突出する。
本願明細書において、記載されているように、縦軸の角度はドラム・シェル、またはその反対に関して約２０と約７０度の間にあることができる。
【０１０９】
打楽器を製造する好適な方法は、例えば、ドラム本体の逆の（上部および一番下）側状態にあるドラム・シェルの第１および第２の開放端を定めて、第１および第２の端アセンブリをドラム本体の第１および第２の開放端に固定するために結合構造を張力ロッドの係合それぞれのセットに適応させることを含むこともできる。
これは、張力をかけられた係合の第１および第２のドラムヘッドを開放端の各々で、それぞれの端アセンブリとドラム・シェルの周辺部の間に配置する。
【０１１０】
本体および緊張がひきずるドラムを形成する好適な方法は、例えば、実質的に連続材料を印刷しているボリュームを含む。そして、実質的に連続材料が以下を有するＳＬＳプロセスを使用する：
ポリマーマトリックス、繊維補強またはそれらの組み合わせ。
あるいは、金属または金属合金が、用いられることが可能である。
別の例として、複合ポリマー材（例えば木のＰＬＡ材料）が、用いられることが可能である。
共振室の音響反応を調整するために、ドラム本体の質量分布を変えるように、ドラム・シェルの厚みを、調整できる。
同様に、緊張突起本体の量は、音響反応を調整することに合うこともできる。
【０１１１】
付加的な実施例において、ドラム・システム１００は、以下を含むことができる：
ドラムヘッド１２０、１２１をドラム本体１１０の一つ以上の開放端に連結する（例えば複数の張力ロッド１２６を介して突起構造１１２、１１４に連結する適切な端組立て１２２、１２４を使用して）ように調整されている突起構造１１２または１１４（または両方とも）を有する統合されたドラム本体１１０。
ドラム本体側壁またはシェル１１８は、ドラム本体１１０に必要で、突起構造１１２、１１４を有する同じであるか、実質的に連続であるか、一体的材料の中で形をなした。
【０１１２】
一つ以上を係合することがドラムヘッド（例えば、底のドラムヘッド１２１）の１つ全体の１３５を罠で捕らえると、レバー１３４がそうでありえる罠濾過器１３２および引っ張り装置は、定める。
空気口またはポート１５０は、共振室またはドラム・シェル１１８の内部上の内側キャビティ１８５とシェル１１８の外側上のドラム外部１８６の間の圧力コミュニケーションに適していることができる。
一つ以上のポート拡張ｏｒ¨ｅａｒｓ」１５２は、内面１５４またはドラム・シェル１１８（または両方とも）の外面１５６に設けられていることができて、ドラム・シェル１１８によって、定められる軸Ａに沿ってポート１５０を延長するように構成されることができる。
【０１１３】
例えば、ドラム本体１１０の開放端または端全体の一つ以上のこの種のドラムヘッド１２０、１２１を係合するためのチャネル１６０を、各突起１１２、１１４は、備えていることができる、複数の張力ロッドまたはネジ部品１２６を介して突起１１２、１１４を端アセンブリまたは輪１２２、１２４に連結するために、ねじチャネル１６０または機械式インサート１７０を使用することは、各チャネル１６０内で配置した。
【０１１４】
チャネル１６０は、ドラム本体１１０の側壁１１８の一方または両方の端に、ドラムヘッド１２０、１２１の張力をかけられた係合をこのように可能にする。
実施例に応じて、機械式インサート１７０の挿入に適応する近位端１６２から挿入物１７０のそれぞれの張力ロッドまたは類似の機械の張力要素１２６との係合に適応する末端１６４まで、各チャネル１６０は、伸びることができる。
停止１６３は、近位端１６２と末端１６４の間に各チャネル１６０に沿って配置されることができて、それぞれの突起１１２、１１４の中で挿入物１７０を設置するために（例えば第回転に対して挿入物１７０を固定するために構成されるナット区間１７２および各突起構造１１２（または１１４）の上部（または最後の）表面１６６まで伸びている１バレルの１７４節を有する）構成されることができる。
【０１１５】
上部および底の突起１１２および１１４の垂直配列またはオフセットとともに、各突起構造１１２、１１４の設計は変化できる。そして、隣接する一番上の突起１１２と隣接する一番下間の間隔は１１４をひきずる。
各チャネル１６０は主突起本体１５０において、定められる。そして、ドラム・シェル１１８を有する実質的に連続材料の中で一体的に形成される。
それとともに音響および機械式継手で、任意のフランジ１１３は、ドラム・シェル１１８の外面１５６に沿って、主突起本体１１５から伸びることができる。
設計に応じて、ドラム・シェル１１８と突起構造１１２、１１４の間に振動の（アコースティックな）エネルギーを向けることによって、ドラム・システム１００の音の反応を調整するのに、フランジ１３０は適していることができる、または、主本体部１１５に沿って定められる突起構造１１２、１１４とドラム・シェル１１８間の音響および振動の継手で、フランジ１１３は不在でもよい。
実施例
【０１１６】
さまざまな実施例および実施例において、開示によるドラム装置は、以下を有する：
共振室を定めている側壁を有するドラム本体、
そして、共振室を有する音響コミュニケーションのドラム本体側壁（ドラム本体の開放端全体のドラムヘッドを係合するように調整されている結合構造）の円周について、複数の結合構造は、配置した、
そこにおいて、ドラム本体の統合された構造を定めている実質的に連続材料の中で、ドラム本体側壁および結合構造は、形成される。
【０１１７】
ドラム本体の開放端全体の張力をかけられた係合の結合構造（ドラム本体側壁の周辺部に沿ってドラムヘッドをドラム本体に連結するように調整されている緊張突起本体）の各々を形成している実質的に連続材料によって、緊張突起本体を、定義できる。
それとともに音響および機械式継手で、外側のドラムの表面本体側壁に沿って緊張突起本体の一つ以上から伸びている実質的に連続材料によって、フランジを、定義できる。
フランジは、それぞれの緊張突起本体から外側のドラムの表面本体側壁まで伸びている実質的に円滑および連続湾曲を定めることができる。
【０１１８】
緊張突起本体（端組立てをドラム本体の開放端に連結するために設定される複数のテンション機構との係合に適応する機械式インサート）の範囲内で、複数の機械式インサートは、ドラムヘッドに隣接して配置されていることができる。
端組立てとドラム本体側壁の周辺部との間に、ドラムヘッドは、ドラム本体の開放端全体の張力をかけられた係合に配置されていることができる。
緊張突起本体、緊張突起本体の範囲内で係合のための機械式インサートを受けるのに適している第１端部を有する長手方向チャンネルおよび機械式インサートが複数のテンション機構の１つと係合するために構成される第２端部の各々に沿って、長手方向チャンネルは、伸びることができる。
停止は、長手方向チャンネルの第１および第２の端の間に、緊張突起本体の範囲内で配置した、
そこにおいて、
長手方向チャンネルの第１端部は、停止との係合によって、緊張突起本体の範囲内で機械式インサートを固定するのに適している。
長手方向チャンネルの第１端部は、ストッパに係合して機械式インサートの外側のジオメトリとの適合によって、機械式インサートを回転から得るのに更に適していることができる。
【０１１９】
例えば、周辺部補強は実質的に連続材料から成ることができる。そして、その周辺部に沿ってドラム本体側壁から伸びる。そして、周辺部がドラム本体の開放端を定める。
例えば、周辺部補強は、以下を有することができる：
ドラム本体の開放端に隣接してドラム本体側壁の周辺部から実質的に連続物質的な半径方向外方に延びての環状バンド。
そこから伸びているドラム本体側壁および周辺部補強の周辺部、端結合またはその間に端アセンブリを張力をかけられた係合のドラムヘッドを有するドラム本体の開放端に固定するのに適しているベアリングの端の一方または両方に沿って、端結合またはベアリングの端は、定められることが可能である。
一つ以上の罠台は、ベアリングの端に沿って定められることが可能である。
【０１２０】
例えば、音響ポートは設けられていることができる。そして、ドラム本体側壁（ドラム本体の範囲内で定められる共振室とその外部の間の圧力コミュニケーションの音響ポート）の実質的に連続材料によって、定められる縦軸に沿って伸びる。
実質的に連続材料は、その拡張を定めるために、音響ポートの縦軸に沿って、ドラム本体側壁から突出できる。
縦軸に沿って、拡張は、ドラム本体側壁または両方ともから外へ内部へ、または、放射状に、音響ポート半径方向外方に延びての内面を定めることができる。
音響ポートの縦軸は、ドラム本体側壁に関して約３０と約６０度の間の角度を定めることができる。
【０１２１】
代替実施形態では、ドラム本体から独立している別々のドラム・ポート部品は、音響ポートまたは孔を定めて、設けられていることができて、ドラム本体側壁によって、係合するように構成されることができる。
別の成分の外面は、その拡張を定めるために、音響ポートの縦軸に沿って、別の成分から突出できる。
縦軸に沿って、拡張は、別の成分または両方ともから外へ内部へ、または、放射状に、音響ポート半径方向外方に延びての内面を定めることができる。
音響ポートの縦軸は、別の成分に関して約３０と約６０度の間の角度を定めることができる。
【０１２２】
別の成分は単一部片でもよい、または、連結するのは二つ以上の部分でもよい。
実施例において、例えば、単一部片は、金属プレートから形成されることができる
そこにおいて、
金属プレートは、音響ポートを定めて、その拡張を定めるために音響ポートの縦軸に沿って金属プレートから突出する外方部分を有する。
他の実施形態では、ポート構成要素は１を含むことができる。そして、二つ以上の部分がねじ構成要素（例えば音響ポートを定めているナット、中空ボルトまたは螺子挿入部材）を含む。
そこにおいて、
ドラム・シェルを通って延びている音響ポートを定めるために、ナットまたは類似の機械的留め具は、螺子挿入部材をドラム本体側壁に連結する。
音響ポートは、音響ポートの内面に沿って拡張を定めるために音響ポートの縦軸に沿って突出する外方部分または拡張を有することができる。
いずれの実施例でも、縦軸の角度は、別の成分に関して約２０と約７０度の間にあることができる。
【０１２３】
しかし、必然的にでなく３６０度の完全な円周角度で、音響ポート拡張は、縦軸の周りに伸びる。
若干の実施例において、円周角度は、約２７０度以下（ドラム本体側壁で定められる）でありえる。
音響ポートの縦軸に沿って定められるように、円周角度はドラム本体側壁から放射であるか横距離によって、減少できる。その結果、拡張は位置または丸形端部にテーパーがつく。
具体例において、円周角度は約１８０度であるかまたは１５０度と２１０度の間にドラム本体側壁およびポート拡張でポートの円周周辺でほとんど中間で伸びる。そして、縦のポート軸に沿ってドラム・シェルから距離によって、テーパーがつく。
しかしながら、例えば９０度と、あるいは、０度と２７０度（または２７０度未満）の間に、または、１００度と２００度の間に、１８０度との間に、他の円周角度も、考察される。
例えば灯心がドラム本体側壁の幅または厚さについてのために伸びて、拡張のテーパー長さも変化する、または、二度または３つの時間についてのために、ドラムの幅または厚みは側壁を具体化する。
あるいは、例えばドラム本体側壁の厚さとドラム本体側壁の半分の厚さの間に、ポート拡張のテーパー長さはより多くでもよいかより少なくてもよい、または、ドラムの厚みの３倍以上は側壁を具体化する。
【０１２４】
それぞれ、張力をかけられた係合のドラムヘッドを有するドラム本体（張力ロッドの係合それぞれのセットが第１および第２のドラムヘッドおよび端アセンブリをドラム本体の第１および第２の開放端に固定するために構成される結合構造）の両側に、ドラム本体側壁は、第１および第２の開放端をその間で定めることができる。
結合構造は第１を含むことができる。そして、緊張の第２のセットは実質的に連続材料の中で形成される本体をひきずって、それぞれ、すぐ近くのドラム本体側壁の上下の周辺部に沿ってドラム本体の第１および第２の開放端を配置した。そして、第１および第２のドラムヘッドおよび端アセンブリを固定するために張力ロッドのそれぞれのセットを係合するように、突起本体の第１および第２のセットが調整されている。
【０１２５】
それとともに音響コミュニケーションのドラム本体側壁（第２のドラムヘッド全体の一つ以上の罠を係合するように構成される罠アセンブリ）に罠アセンブリのためにマウントするように、一つ以上のマウントによる構造は、調整されていることができる。
ｔｈｒｏｕｇｈ―マウントは、罠濾過器および端プレートをドラム本体側壁の一般に逆の側に載置するために構成される貫通孔、第２のドラムヘッド全体の罠を延長するために構成される端プレートおよびそれとともに罠を係合するために構成される罠濾過器の１および２セットめから成ることができる。
【０１２６】
打楽器は、設けられていることができる、
上記は、以下を備える。
ドラム本体は統合された材料の中で形をなした。そして、ドラム・シェルを有するドラム本体が側壁を定めた、
ドラム・シェルの範囲内で定められる共振室、
そして、統合された材料の中で形成される本体、ドラム本体側壁の円周について配置されて、ドラム・シェルの開放端全体のドラムヘッドがドラム本体側壁の周辺部に沿って定めた結合に適応する緊張突起本体、共振室を有する音響コミュニケーションのドラムヘッドを、複数の緊張は、ひきずる。
【０１２７】
複数のフランジは統合された材料の中で形成されることができる。そして、外側のドラムの表面シェルを有する音響および機械式継手のそれぞれの緊張突起本体から伸びる。そして、フランジがその間で実質的に円滑および連続湾曲を定める。
ドラム本体側壁（ドラム・シェルの開放端全体の張力をかけられた係合のドラムヘッドを連結するのに適している張力ロッド）の円周について配置される緊張突起本体に、複数の張力ロッドは、係合できる。
ドラム本体側壁（ドラム・シェルの開放端全体のドラムヘッドを連結するのに適している端組立て）の周辺部に沿って、端組立ては、張力ロッドに連結できる。
【０１２８】
例えば、統合された材料から成る周辺部補強は設けられていることもできる。そして、ドラム本体側壁の周辺部に沿ってドラム・シェルから伸びる。
周辺部補強、端組立てと端結合の間にドラム本体側壁の周辺部に沿って張力をかけられた係合のドラムヘッドを固定するのに適しているベアリングの端またはベアリングの端に沿って、または、それに隣接して、端結合またはベアリングの端は、伸びることができる。
ドラムヘッドを有する音響継手の一つ以上の罠で、一つ以上の罠台は、ベアリングの端の中で配置されることができるかまたは定められることができて（例えば、その両側で）、ドラム本体全体の罠アセンブリの係合のために適応した。
【０１２９】
複数の機械式インサートは緊張突起本体に配置されていることができる。そして、機械式インサートがそれぞれの張力ロッドとの係合がドラム・シェルの開放端全体のドラムヘッドを連結するように構成される。
例えば、それぞれの緊張突起本体に沿って伸びている長手方向チャンネル内で、機械式インサートを、固定できる、停止に対して交代で一定の係合の機械式インサートの１つを受けるために、第１端部を有する長手方向チャンネルの各々は適応した、そして、第２端部はインサートのそれぞれの張力ロッドとの係合のために適応した。
いくつかの実施形態では、機械式インサートの各々は、以下を含む：
第１部分は停止に対して交代で一定の係合のそれぞれの長手方向チャンネルの断面ジオメトリとの適合のために適応した、そして、第２部分はそれぞれの張力ロッドとの螺合のために適応した。
【０１３０】
例えば、縦軸に沿ってドラム・シェルを通って延びて、一つ以上の音響ポートは、設けられていることもできる
そこにおいて、
統合された材料は、音響ポートの拡張を定めるために、縦軸に沿ってドラム・シェルから突出する。
音響ポートの縦軸は、ドラム・シェルに関して約３０と約６０度の間の角度を定めることができる。
【０１３１】
張力ロッドの係合それぞれのセットがその間に第１および第２の端アセンブリを張力をかけられた係合のそれぞれの第１および第２のドラムヘッドを有するドラム本体の第１および第２の開放端に固定するために構成される結合構造で、ドラム本体側壁は、第１および第２の開放端をドラム本体の両側に、概して定める。
一つ以上のマウントによる缶それとともに音響コミュニケーションのドラム本体側壁（第２のドラムヘッド全体の一つ以上の罠を係合するように構成される罠組立て）に対する罠組立てのための取付けに適している。
【０１３２】
ドラム本体またはドラム・シェルの統合された材料は、実質的に連続ポリマーまたはマトリクス材料から成ることができる。
統合された材料は、繊維材料を補強することを更に含むことができる。
【０１３３】
例えば、統合されたドラム本体を形成する好適な方法は設けられていることもできる。そして、一つ以上の次のステップから成る：
実質的に連続資料（共振室を定めているドラム・シェルを有するドラム本体）のドラム本文を形成すること、
実質的に連続資料の複数の緊張突起本文を形成して、緊張突起本体は、それとともに音響および機械式継手のドラム・シェルの円周について配置した、
そして、その周辺部に沿って定められるドラム・シェルの開放端全体のドラムヘッドを係合するように緊張突起本体を調整すること。（共振室を有する音響コミュニケーションの）
音響および機械式継手の実質的に連続材料（外側のドラムの表面シェルに沿って緊張突起本体の一つ以上から伸びているフランジ）の中で、フランジは、それとともに形成されることもできる。
【０１３４】
方法は、一つ以上のいかなる次のステップからも更に成ることができる：
複数の張力ロッドを緊張突起本体と係合することは、ドラム・シェルの円周について配置した、
張力ロッドを端アセンブリに連結すること、
そして、張力ロッドが端組立てとドラム本体の間に張力をかけられた係合のドラム・シェルの開放端全体のドラムヘッドを連結するように調整すること。（ドラム・シェルの円周に沿った）
付加的な方法は、その開放端を定めている周辺部に沿ってドラム・シェルから伸びている実質的に連続材料の周辺部補強を形成することを含むことができる、
または、端結合を形成するか、またはドラム・シェルおよび周辺部補強の周辺部の一方または両方に沿って伸びている実質的に連続材料の端を運んで、圧縮係合の端組立てをドラムヘッドを有するドラム本体の開放端に連結するために構成されるベアリングの端は、その間で配置した。
ドラム本体の上の演奏しているヘッドの反対側に、この種のドラムヘッドに対して罠アセンブリを張力をかけられた係合の複数の罠を有するドラム本体に連結するために、例えば、ドラム本体の一番下上のベアリングの端において、一つ以上の罠台を、配置できるかまたは定められることが可能である。
【０１３５】
アプリケーションに応じて、方法は、以下の一つ以上から更に成ることができる：
複数の機械式インサートを緊張突起本体に配置して、ドラム・シェルの開放端全体のドラムヘッドを連結するために複数の張力ロッドと係合するために、機械式インサートは、適応した、
緊張突起本体に沿って定められて、機械式インサートをそのときに設置している長手方向チャンネルに機械式インサートを嵌入すること、
そこにおいて、
機械式インサートは、それぞれの緊張突起本体の範囲内で、交代で一定の係合に配置されている、
そして、螺合の張力ロッドをそれぞれの機械式インサートに連結すること。
【０１３６】
いくつかの実施形態では、方法は、以下を含む：
ドラム・シェルによる音響ポートを定めること、
そして、
その縦軸に沿って音響ポートを延長すること、
そこにおいて、
実質的に連続材料は、音響ポートの縦軸に沿って、ドラム・シェルから突出する。
縦軸の角度は、ドラム・シェルに関して約２０と約７０度の間にあることができる。
【０１３７】
他の実施態様において、方法は、以下を含む：
ドラム・システムから独立している分離部品による音響ポートを定めること、
そして、
ドラム本体に音響ポートを含んでいる分離部品を取り付けること。
【０１３８】
ドラム本体を形成することは、以下を含むこともできる：
ドラム・シェルの第１および第２の開放端をドラム本体の両側に定めること、
そして、
例えば、その間に第１および第２の端アセンブリを張力をかけられた係合の第１および第２のドラムヘッドを有するドラム本体の第１および第２の開放端に固定するために結合構造を張力ロッドの係合それぞれのセットに適応させること。
【０１３９】
ドラム本体を形成することはドラム本体側壁による開口を定めることを更に含むことができる。そうすると、ドラム本体側壁は音響ポートを含んでいる分離部品を係合できる。
【０１４０】
好適な方法はドラム本体を形成することを更に含むことができる。そして、例えば、実質的に連続材料を印刷しているボリュームによって、緊張は引っぱる
そこにおいて、
実質的に連続材料は、以下を備える。
ポリマーマトリックス、繊維補強材料、複合ポリマー材、黒鉛、金属または金属合金またはそれらの組み合わせ。
多くの緊張突起本体を調整することによって、または、両方とも、共振室の音響反応は、ドラム・シェルの厚みを調整することにより調整されることができるかまたを、調整できる。
【０１４１】
この開示は本発明の例示的実施形態を描く。そして、それは異なるアプリケーションの範囲に適していることができる。
変化はなされることができる。そして、さまざまな等価物は発明の概念の精神と範囲から逸脱することなく置換されることができる。
変更態様は、これらの教示を異なる課題および状況に、そして、周知のように、他の材料、技術および方法の使用に適応させるために実行されることもできる。
発明の範囲は、このように、開示される特例に限られていなくて、添付の請求の範囲で落下している実施例の全てを含む。
【図１】
2021509976.tif 000003
【図２】
2021509976.tif 000004
【図３Ａ】
2021509976.tif 000005
【図３Ｂ】
2021509976.tif 000006
【図４Ａ】
2021509976.tif 000007
【図４Ｂ】
2021509976.tif 000008
【図４Ｃ】
2021509976.tif 000009
【図５】
2021509976.tif 000010
【図６】
2021509976.tif 000011
【図７】
2021509976.tif 000012
【図８Ａ】
2021509976.tif 000013
【図８Ｂ】
2021509976.tif 000014
【図８Ｃ】
2021509976.tif 000015
【図８Ｄ】
2021509976.tif 000016
【国際調査報告】
2021509976.tif 000017
2021509976.tif 000018
2021509976.tif 000019